(57)【要約】【課題】身体にフィットするための高い伸縮性を有しつつ、身体に密着する部分を可能な限り少なくして着用感の向上をはかると共に、身体と生地の間や生地自体に空気層を形成して断熱効果を得ることを可能にした従来にない凹凸伸縮性トリコット編地を提供する。【解決手段】本発明は、非伸縮編成糸と伸縮編成糸とで伸縮性トリコット編地を編成し、その際、非伸縮編成糸を所要本数毎に区分し、互いに隣接する区分の非伸縮編成糸の送り出し長を互い違いに増減することを繰り返して、表面に市松状に凸部Ｆを付与し、その凸部Ｆによって表面が着用者の身体Ｖに密着することを防ぐと共に、凸部Ｆ内や身体Ｖと生地の間に空気層Ａ１、Ａ２を形成して断熱効果を得る。【選択図】図６
2014091888.tif 000002
【特許請求の範囲】
【請求項１】
非伸縮編成糸のシンカーループが伸縮編成糸のシンカーループより外側に位置して、非伸縮編成糸と伸縮編成糸とが、それぞれ編み込み組織で編成されてなる伸縮性トリコット編地であって、非伸縮編成糸が所要複数本数毎に区分され、それぞれの区分内において、所要コース数間隔毎に、所要コース数に渡って、非伸縮編成糸のシンカーループの長さを前記所要コース数間隔におけるシンカーループの長さに比して増長することによるシンカーループの膨出及び該シンカーループの下側に位置する伸縮編成糸の収縮力とにより凸部が形成されていると共に、互いに隣接する区分の凸部が互い違いに形成されていることにより凸部が市松状に配されてなることを特徴とする、表面に凹凸を有する凹凸伸縮性トリコット編地。
【請求項２】
非伸縮編成糸の編み込み組織がコード組織（１−０／２−３）で、伸縮編成糸の編み込み組織がデンビー組織（１−２／１−０）であることを特徴とする請求項１記載の凹凸伸縮性トリコット編地。
【請求項３】
所要複数本数が３本〜８本であり、区分内における所要コース数間隔が６コース〜１４コースであり、所要コース数が６〜１４コースであることを特徴とする請求項１記載の凹凸伸縮性トリコット編地。
【請求項４】
市松状に配された凸部が同寸、同形状であることを特徴とする請求項１記載の凹凸伸縮性トリコット編地。
【請求項５】
非伸縮編成糸が８〜８４ｄｔｅｘの合成繊維であり、伸縮編成糸が８〜７８ｄｔｅｘのポリウレタン糸であることを特徴とする請求項１記載の凹凸伸縮性トリコット編地。
【請求項６】
非伸縮編成糸と伸縮編成糸とを編み込み組織により編成する際、非伸縮編成糸によるシンカーループを伸縮編成糸によるシンカーループより外側にして編成すると共に非伸縮編成糸を所要本数毎に区分し、それぞれの区分内の非伸縮編成糸の送り出し長を所要コース数間隔おきに所要コース数に渡って、前記所要コース数間隔における送り出し長に比して増長させて編成して、増長させた所要コース数分の前記非伸縮編成糸のシンカーループを外側へ膨出させると共に非伸縮編成糸の下側に位置する伸縮編成糸の収縮作用とで凸部を形成させて表面に凹凸を形成することを特徴とする凹凸伸縮性トリコット編地の編成方法。
【請求項７】
表面に凸部を形成することを区分毎に互い違いに行って、凸部を市松状に配して表面に凹凸を形成することを特徴とする請求項６記載の凹凸伸縮性トリコット編地の編成方法。
【請求項８】
所要コース数に渡って増長させる送り出し長が、所要コース数間隔における送り出し長に比して１５％〜３０％増の範囲であることを特徴とする請求項６記載の凹凸伸縮性トリコット編地の編成方法。
【発明の詳細な説明】
【技術分野】
【０００１】
本発明は、伸縮性を有するトリコット編地に関し、詳しくは、表面に凸部を細かく配して、表面が着用者の身体に密着することを防ぐと共に、凸部内や着用者の身体との間に空気層を形成して断熱効果を得ることが可能な凹凸伸縮性トリコット編地に関する。
【０００２】
各種ファッション衣料やスポーツ衣料等に使用される素材の一つとしてトリコット編地がある。トリコット編地は、経編地に分類され、その組織構造上、薄手、軽量が可能であり、その利点により水着や女性用インナーとして広く用いられている。
【０００３】
そして、昨今は、薄手、軽量に加えて高い伸縮性が要求され、高伸縮性を有するトリコット編地が開発されて汎用化している。
この高伸縮性トリコット編地の特徴は、薄手、軽量、表面平滑、身体への充分なフィット性である。
【０００４】
高伸縮性の付与については、例えば、特許文献１に示されるように、ナイロン等の非弾性糸とポリウレタン糸等の弾性糸を同組織で併せて編成し、高伸縮性経編地を得ている。
非弾性糸の送り出し長を弾性糸のそれよりも大きくして被覆効果を得て、美しい編目の表面を有し、しかも裁断しても解れない高伸縮性トリコット編地を提案している。
【０００５】
また、特許文献２では、光沢感を有し、薄地であると共に防風性に優れたストレッチ性を有する２８ゲージ以上のトリコット編地を提案している。弾性糸としてはポリウレタン糸を用いていて、非弾性糸にはポリエステル糸を用いている。
【０００６】
そして、特許文献３では、非弾性糸と弾性糸と熱融着糸を用いて、裁断した際の解れ防止を可能にした伸縮性トリコット編地が提案されている。
【０００７】
更に、特許文献４では、更なる高伸縮性を得るために、編成糸としてポリウレタン糸のような高弾性糸のみを使って、ウエール方向とコース方向の伸長率の和が６００％以上であるトリコット編地が提案されている。
【０００８】
このように、多くの高伸縮性トリコット編地が提案され、スポーツ衣料やインナー衣料等の分野で使用されてきた。これら高伸縮性トリコット編地は、いずれも組織構造が極めてシンプルで、薄手、軽量で表面が平滑であり、美しい光沢感を有していて、身体にフィットする特徴を有している。
【先行技術文献】
【特許文献】
【０００９】
【特許文献１】特開２００３−２０１６５４号
【特許文献２】特許第４４２７７０９号
【特許文献３】特開２００８−２４０１８３号
【特許文献４】特開２０１２−１４４８３６号
【発明の概要】
【発明が解決しようとする課題】
【００１０】
以上のように、高伸縮性トリコット編地については多くの提案がなされてきた。しかし、これらの高伸縮性トリコット編地は、インナー衣料やスポーツ衣料等の素材としては、薄手、軽量、表面が平滑で、しかもフィット性に優れている長所を発揮してきたが、消費者の要望が多様化している現在、解決すべき更なる機能要求が出てきた。
【００１１】
それは、薄手、軽量で高伸縮性によるフィット性を維持しつつ、身体に触れる面積を極力減らし、良い着用感を得ると言う、相反する要求である。
また、従来の高伸縮性トリコット編地の利点を維持しつつ、身体と素材の間に空気層を作り、断熱効果を得るという要求である。
【００１２】
上記要求の内、身体に触れる面積を減らす要求は、高伸縮性トリコット編地は、その高伸縮性により、例えばこれを女性用のインナー衣料に使用した場合、時には肌に素材が密着して良好な着心地を得られるが、時には密着することが不快になる場合がある。
蒸し暑く、汗が出るような状態ではインナー衣料が肌に触れることが不快となる場合などである。
【００１３】
また、従来の高伸縮性トリコット編地は薄地であり、例えばインナー衣料がその良好なフィット性により肌に密着している場合、外気温が直接、肌に伝わってしまう問題がある。
これは、あまりにフィット性が高いと、肌とインナー衣料との間に空気層が形成されず、断熱効果が発揮されないことに起因する。
断熱効果は、寒い季節においても暑い季節においても必要な機能である。
空気層は、寒い時には冷気を、暑い時には暖気を遮断する効果を持つ。
特に寒いときには、温かい空気層を維持して心地よい暖かさを維持する効果を発揮する。
そして適度な通気性も求められる。
【００１４】
このような要求の観点から従来技術を見てみると、特許文献１〜特許文献４における伸縮性トリコット編地は、いずれも充分な伸縮性と、薄手、軽量、更には表面が平滑で美しい長所を有してはいるものの、身体に密着し易いことや空気層の形成に配慮されていない等の解決すべき問題がある。
【００１５】
本発明は、以上のような諸事情を背景になされたものである。
すなわち、本発明の目的とするところは、身体にフィットするための高い伸縮性を有しつつ、身体に密着する部分を可能な限り少なくして着用感の向上をはかると共に、身体と生地との間や生地自体に空気層を形成することを可能とした従来にない高伸縮性トリコット編地を提供するところにある。
【課題を解決するための手段】
【００１６】
上記課題を解決するために、鋭意、研究した結果、発明者等は、非伸縮編成糸と伸縮編成糸とで伸縮性トリコット編地を編成し、その際、非伸縮編成糸を所要本数毎に区分し、互いに隣接する区分の非伸縮編成糸の送り出し長を互い違いに増減することを繰り返して、表面に市松状に凸部を付与し、その凸部によって表面が着用者の身体に密着することを防ぐと共に、凸部内や身体と生地の間に空気層を形成して断熱効果を得た凹凸伸縮性トリコット編地を開発したものである。
【００１７】
即ち、本発明は、（１）、非伸縮編成糸のシンカーループが伸縮編成糸のシンカーループより外側に位置して、非伸縮編成糸と伸縮編成糸とが、それぞれ編み込み組織で編成されてなる伸縮性トリコット編地であって、非伸縮編成糸が所要複数本数毎に区分され、それぞれの区分内において、所要コース数間隔毎に、所要コース数に渡って、非伸縮編成糸のシンカーループの長さを前記所要コース数間隔におけるシンカーループの長さに比して増長することによるシンカーループの膨出及び該シンカーループの下側に位置する伸縮編成糸の収縮力とにより凸部が形成されていると共に、互いに隣接する区分の凸部が互い違いに形成されていることにより凸部が市松状に配されてなる、表面に凹凸を有する凹凸伸縮性トリコット編地に存する。
【００１８】
即ち、本発明は、（２）、非伸縮編成糸の編み込み組織がコード組織（１−０／２−３）で、伸縮編成糸の編み込み組織がデンビー組織（１−２／１−０）である上記（１）記載の凹凸伸縮性トリコット編地に存する。
【００１９】
即ち、本発明は、（３）、所要複数本数が３本〜８本であり、区分内における所要コース数間隔が６コース〜１４コースであり、所要コース数が６〜１４コースである上記（１）記載の凹凸伸縮性トリコット編地に存する。
【００２０】
即ち、本発明は、（４）、市松状に配された凸部が同寸、同形状である上記（１）記載の凹凸伸縮性トリコット編地に存する。
【００２１】
即ち、本発明は、（５）、非伸縮編成糸が８〜８４ｄｔｅｘの合成繊維であり、伸縮編成糸が８〜７８ｄｔｅｘのポリウレタン糸である上記（１）記載の凹凸伸縮性トリコット編地に存する。
【００２２】
即ち、本発明は、（６）、非伸縮編成糸と伸縮編成糸とを編み込み組織により編成する際、非伸縮編成糸によるシンカーループを伸縮編成糸によるシンカーループより外側にして編成すると共に非伸縮編成糸を所要本数毎に区分し、それぞれの区分内の非伸縮編成糸の送り出し長を所要コース数間隔おきに所要コース数に渡って、前記所要コース数間隔における送り出し長に比して増長させて編成して、増長させた所要コース数分の前記非伸縮編成糸のシンカーループを外側へ膨出させると共に非伸縮編成糸の下側に位置する伸縮編成糸の収縮作用とで凸部を形成させて表面に凹凸を形成する凹凸伸縮性トリコット編地の編成方法に存する。
【００２３】
即ち、本発明は、（７）、表面に凸部を形成することを区分毎に互い違いに行って、凸部を市松状に配して表面に凹凸を形成する上記（６）記載の凹凸伸縮性トリコット編地の編成方法に存する。
【００２４】
即ち、本発明は、（８）、所要コース数に渡って増長させる送り出し長が、所要コース数間隔における送り出し長に比して１５％〜３０％増の範囲である上記（６）記載の凹凸伸縮性トリコット編地の編成方法に存する。
【００２５】
なお、本発明の目的に沿ったものであれば上記（１）〜（８）を適宜組み合わせた構成も採用可能である。
【発明の効果】
【００２６】
本発明の凹凸伸縮性トリコット編地は、非伸縮編成糸と伸縮編成糸とで編成されていて、身体にフィットする高伸縮性を維持しつつ、表面に市松状に配された凸部により表面に凹凸が形成されているので、これを例えばインナー衣料に用いた場合、身体との接触が点接触に近い状態となり、密着することがなく極めて良好な着用感を得ることができる。
また、凸部内や凹凸と身体の間に空気層が形成され断熱効果が得られて冬温かく、夏涼しい利点がある。
【００２７】
そして、本発明の凹凸伸縮性トリコット編地は、非伸縮編成糸を区分する本数や、送り出し長、並びに送り出し長を変化させるコース数等を自在に規格設計、設定できるので、凸部の幅や長さ、その高さ等を常に確実に再現でき、消費者の多様な要望に応じた製品展開が可能である利点がある。
【図面の簡単な説明】
【００２８】
【図１】図１は、トリコット機の編機説明図（一部省略）である。
【図２】図２は、ハーフ組織の組織図である。
【図３】図３は、ハーフ組織の内、コード組織のみを記載し、且つオサＬ１とオサＬ２のガイドＧ１、Ｇ２への通糸状態を示した組織編成説明図である。
【図４】図４は、凸部が市松状に配された状態を示す表面模式図である。
【図５】図５は、凹凸伸縮性トリコット編地の断面説明図である。
【図６】図６は、凹凸伸縮性トリコット編地と着用者の肌との接触状態を示す着用断面説明図である。
【図７】図７は、略正方形に近い凸部Ｆが市松状に配置された凹凸伸縮性トリコット編地Ｋの表面模式図（一部省略）である。
【図８】図８は、一定送り出しの部分が交叉して格子形状をなした凹凸伸縮性トリコット編地の表面模式図（一部省略）である。
【発明を実施するための形態】
【００２９】
以下、必要に応じて図面を参照しつつ、本発明の好適な実施形態について詳細に説明する。
【００３０】
（第１の実施の形態）
本実施の形態では、図１の編機説明図（一部省略）に示すトリコット機Ｍ（２８ゲージ）を使用している。
ここにゲージとは１インチ間にセットされるニードルＮの本数を言う。
３枚のオサＬ１、Ｌ２、Ｌ３を擁し、機上には３本のビームシャフトＲ１、Ｒ２、Ｒ３が設けられている。
それぞれのビームシャフトＲ１、Ｒ２、Ｒ３にはビームＢ１、Ｂ２、Ｂ３がセットされていて編成糸Ｙが巻かれている。
【００３１】
ビームＢ１には編成糸Ｙ１が巻かれていて、オサＬ１を通してニードルＮに案内されて編成される。そして、ビームＢ２には編成糸Ｙ２が巻かれていて、オサＬ２を通してニードルＮに案内されて編成される。
そして、ビームＢ３に巻かれた編成糸Ｙ３は、オサＬ３を通してニードルＮに案内されて編成される。
そして、オサＬ１、Ｌ２、Ｌ３には、トリコット機のゲージと同様に１インチ間に２８枚の密度で、それぞれガイドＧ１、Ｇ２、Ｇ３が取り付けられている。
【００３２】
編成糸Ｙ１には、非伸縮編成糸であるポリエステル糸８〜８４ｄｔｅｘを、編成糸Ｙ２には、同じく非伸縮編成糸であるポリエステル糸８〜８４ｄｔｅｘを用い、編成糸Ｙ３には、伸縮編成糸であるポリウレタン糸８〜７８ｄｔｅｘを用いる。
本実施の形態では、編成糸Ｙ１と編成糸Ｙ２はいずれも同一規格のものを使用している。
ここに、非伸縮編成糸とは、ポリエステル糸のように合成繊維としての一定の弾性は有するものの、ポリウレタン糸のような高伸縮性は有しない編成糸を言う。
そして、伸縮編成糸Ｔ３とは、ポリウレタン糸のような高伸縮性を有する編成糸を言う。
【００３３】
こうして準備されたトリコット機Ｍにより、図２の組織図に示す編み込み組織であるハーフ組織Ｈで編成が行われる。
ここで、編み込み組織とはニードルループＮＬを形成する組織であり、ニードルループＮＬを形成しない挿入組織に相対する用語である。
ハーフ組織は、コード組織Ｃ（１−０／２−３）とデンビー組織Ｄ（１−２／１−０）で形成され、ここでは、オサＬ１とオサＬ２でコード組織Ｃ（１−０／２−３）を、オサＬ３でデンビー組織Ｄ（１−２／１−０）を編成する。
【００３４】
図２の組織図について説明を容易にするために、図３の組織説明図にコード組織Ｃ（１−０／２−３）のみを示す。
図３に基づき、編成について説明する。編成糸Ｙを、３本〜８本の範囲内で所要複数本数に区分する。
例えば本実施の形態では５本、３本、５本、３本・・・と区分する。  
そして、この内、５本に区分された編成糸Ｙを編成糸Ｙ１とし、３本に区分された編成糸Ｙを編成糸Ｙ２として、２系列に区分する。
こうして区分された編成糸Ｙ１は、ビームＢ１に巻かれてオサＬ１で、編成糸Ｙ２は、ビームＢ２に巻かれてオサＬ２で編成されるのである。
【００３５】
そのために、編成糸Ｙ１は、５イン３アウトでオサＬ１のガイドＧ１に通糸される。
５イン３アウトとは、ガイドの列に５本の編成糸を通糸して、次の３本のガイドには通糸しないことを繰り返す意味である。
そして、オサＬ２のガイドＧ２には、オサＬ１に対応して５アウト３インで編成糸Ｙ２が通糸される。
図３の下方枠に、○印を付けて通糸したガイドを示している。
【００３６】
そして、オサＬ１とオサＬ２は、いずれもコード組織Ｃ（１−０／２−３）を編成し、オサＬ１とオサＬ２は、互いに通糸してない部分を補完し合うので、結果的に１枚のオサのガイドにすべて通糸した場合と同様のコード組織Ｃ（１−０／２−３）が編成される。
つまり、オサＬ１とおさＬ２の２枚のオサで、一枚のオサの役割を果たしている。
【００３７】
次に、上記のように通糸された編成糸Ｙ１、Ｙ２の編成の際の送り出し長について説明する。
編成糸Ｙ１についてはビームシャフトＲ１の回転を制御して、送り出し長を所要コース数間隔毎に所要コース数に渡って変化させる。
所要コース数間隔は６〜１４コース数の範囲内であり、所要コース数は６〜１４コース数の範囲内である。
編成糸Ｙ１に関して、例えば８コース分を一定の送り出し長で編成し、次の、例えば１２コース分の編成の送り出し長を、先の８コース編成時の一定送り出し長よりも１５％〜３０％増長して編成する。
そして、次の、８コース分を、再び先の８コースの場合の一定の送り出し長に戻すことを繰り返す。
【００３８】
つまり、８コースを一定送り出し長、１２コースを例えば２０％増長した送り出し長として、一定、増長、一定、増長・・・と繰り返す。
そして、編成糸Ｙ２については、ビームシャフトＲ２の回転を制御して送り出し長を編成糸Ｙ１の送り出しとは反対に変化させる。
つまり、送り出し長を８コースは２０％増長、次の１２コースは一定、再び次の８コースは増長と繰り返し変化させて、編成糸Ｙ１の送り出しとは互い違いに変化させる。
【００３９】
こうすることで、編地表面には送り出し長を２０％増加した部分が凸部Ｆとなって市松状に配置される。
この２０％増加することにより、非伸縮編成糸Ｙ１のシンカーループＳＬが編地表面に膨出して凸部Ｆを形成する。
この凸部Ｆの形成については、シンカーループＳＬの膨出に加えて、該シンカーループＳＬの下側に位置する編成糸Ｙ３のポリウレタン糸の高い収縮作用が働き、生地表面に凸部Ｆを形成するのである。
この結果、詳細には図４の表面模式図（一部省略）に示すように、７ウエール×１２コースの大きさの凸部Ｆ１が８コース間隔で、また、５ウエール×８コースの凸部Ｆ２が１２コース間隔で１列おきに互い違いに配されて、凸部Ｆ１、Ｆ２とが市松状に配されて表面が凹凸状態の凹凸伸縮性トリコット編地Ｋが形成される。
【００４０】
そして、図５の断面説明図（図４におけるＸ−Ｘの断面図）に示すように、凸部ＦのシンカーループＳＬとニードルループＮＬの間には空間部Ａ１が形成され、この空間部Ａ１に保たれる空気が断熱効果を生み、外気の温度変化を遮断するので快適な着用感を生む。
また、図６の着用断面説明図（一部省略）に示すように、本凹凸伸縮性トリコット編地ＫのシンカーループＳＬ側を内側にして、例えば女性用インナーを製造すれば、着用時には凸部Ｆが身体Ｖに触れて、身体Ｖと凹凸伸縮性トリコット編地Ｋが密着することがない。
このことにより着用感の向上が図られると共に、身体Ｖとの間に空気層Ａ２が形成され、上記の空気層Ａ１と相まって断熱効果を生み、快適な着用感を得ることができる。
また、空気層Ａ１と空気層Ａ２は、衣料内雰囲気の温度や湿度が一定以上に達した場合は、空気層Ａ１、Ａ２内の空気が排出、入れ替えされる通風機能性をも有し、更なる着用感の向上が図られる。
【００４１】
（第２の実施の形態）
第１の実施の形態では、凸部Ｆを大きさが７ウエール×１２コースの凸部Ｆ１と５ウエール×８コースの凸部Ｆ２の２種類として、これを交互に市松状に配置しているが、本実施の形態では、１種類の凸部Ｆを市松状に配置する。
具体的には、編成糸Ｙ１をオサＬ１に３ン３アウトで通糸し、編成糸Ｙ２をオサＬ２に３アウト３インで通糸する。そして、送り出し長を編成糸Ｙ１に関しては、６コースを一定長で、次の６コースを２５％増加して送り出して、これを繰り返す。
【００４２】
こうすることで、凸部Ｆ１、Ｆ２の大きさは５ウエール×６コースの大きさとなり、図７の表面模式図（一部省略）に示すように、略正方形に近い凸部Ｆ１と凸部Ｆ２とが互い違いに市松状に配置される。
編成糸Ｙ２については編成糸Ｙ１の送り出しとは反対に行うのは第１の実施の形態と同様である。
このように凸部Ｆを小さめの同寸法、同形状とすることでデザイン的にシンプル化するとともに、身体Ｖとの接触において、均一な点接触に近い状態が得られる。
【００４３】
そして、編成糸Ｙ１として非伸縮編成糸であるポリエステル糸の例えば４４ｄｔｅｘ／２４ｆを用い、編成糸Ｙ２として非伸縮編成糸であるポリエステル糸の例えば２２ｄｔｅｘ／１２ｆを用いる。
つまり、編成糸Ｙ２を編成糸Ｙ１の半分の太さとしている。
こうすることで、編成糸Ｙ１と編成糸Ｙ２とがより対称的になって縦方向のストライブが強調されて視覚的な変化が得られると共に、編成糸Ｙ２部分の通気性が良くなる効果が得られて、使用目的の多様化が図られる。
【００４４】
（第３の実施の形態）
本実施の形態は、その設定は第２の実施の形態と同様とし、編成糸Ｙ１の送り出し長のみを一定、増加、一定、増加・・・と繰り返し変化させる。
編成糸Ｙ２の送り出し長は、一定のままとして凸部Ｆを有しない平面列Ｐを形成するこうすることで、編成糸Ｙ１については、６コースおきに５ウエール×６コースの凸部Ｆ１が形成され、編成糸Ｙ２による平面列Ｐを挟んで配置される。
その結果、図８の表面模式図（一部省略）に示すように、一定送り出しの部分が交叉して格子形状となり、凸部Ｆとの間に縦横の空気層Ａ２の形成が図られると共に、空気の通気路となって、空気の排出、入れ換えに機能し、一層の着用感の向上が図られる。
【００４５】
以上、本発明をその実施の形態を例に説明したが、本発明は、その本質に変更のない限り、実施の形態のみに限定されるものではなく多様な変形例が可能である。
例えば、本実施の形態では、編み込み組織がハーフ組織の凹凸伸縮性トリコット編地Ｋについて説明したが、編み込み組織は、ハーフ組織に限らず、逆ハーフ組織やダブルデンビー組織等、その他、多くの変化組織の採用が可能である。
また、トリコット機のゲージについても２８ゲージに限るものではない。
【００４６】
そして、３枚オサに限らず、それ以上のオサを使用することで挿入組織やの他の編み込み組織を加えて、製品の多様化を図ることが可能である。
また、薄手、軽量の製品に限らず、太い編成糸を使用して表面変化に富んだ厚手の製品を得ることも可能である。
更に、編成糸Ｙ１、編成糸Ｙ２の送り出し長を一斉に一定長にする、或いは一斉に増加させることにより横ストライプを付与して表面効果を得ること等も可能である。
【００４７】
そして、送り出し長の変化については、一定長に対する増加分を、例えば１０％、２０％、３０％と混在させて設定することが可能である。
こうすることで凸部Ｆの高さが変化して、更に高い表面効果を得ることができる。
【００４８】
また、非伸縮編成糸としては、ポリエステル糸等の合成繊維にクリンプを付与した加工糸などもその範疇に入れることが可能であり多様な製品展開が図ることが可能である。
そして、編成糸Ｙ１、編成糸Ｙ２については異繊度の採用のみならず、異色とすること、或いはナイロン糸とポリエステル糸の組み合わせと言ったように異素材とする事等が可能である。
そして、凸部Ｆの形状についても、編成糸Ｙ１、編成糸Ｙ２の送り出し長の組み合わせによって多様な形状の形成が可能である。
【産業上の利用可能性】
【００４９】
本発明における凹凸伸縮性トリコット編地Ｋは、スポーツ衣料やファンション衣料等に使用されるのみならず、布団やベッドカバー等の寝具、そして、椅子やソファのシート、車両用シート等、更には、医療用のサポーターや副資材等の幅広い分野に使用可能である。
【符号の説明】
【００５０】
Ａ１、Ａ２・・・空気層
Ｂ１、Ｂ２、Ｂ３・・・ビーム
Ｃ・・・コード組織
Ｄ・・・デンビー組織
Ｆ、Ｆ１、Ｆ２・・・凸部
Ｇ１、Ｇ２、Ｇ３・・・ガイド
Ｈ・・・ハーフ組織
Ｋ・・・凹凸伸縮性トリコット編地
Ｌ、Ｌ１、Ｌ２、Ｌ３・・・オサ
Ｍ・・・トリコット機
Ｎ・・・ニードル
ＮＬ・・・ニードルループ
Ｐ・・・平面列
Ｒ１、Ｒ２、Ｒ３・・・ビームシャフト
ＳＬ・・・シンカーループ
Ｖ・・・身体
Ｙ、Ｙ１、Ｙ２、Ｙ３・・・編成糸
【図１】
2014091888.tif 000003
【図２】
2014091888.tif 000004
【図３】
2014091888.tif 000005
【図４】
2014091888.tif 000006
【図５】
2014091888.tif 000007
【図６】
2014091888.tif 000008
【図７】
2014091888.tif 000009
【図８】
2014091888.tif 000010